(57)【要約】【課題】  天井裏の電線を確実に通線孔に挿通させて間仕切り壁の内部空間に導入でき、間仕切り壁の施工が容易にでき、間仕切り壁の構造上の強度を高め、間仕切り壁の製造コストを削減できる間仕切り壁の設置構造を提供する。【解決手段】  垂直に隣接した両間仕切り壁１のうち一方の間仕切り壁１ａの上方に配設した二本の天井野縁３ａの対向側面４の夫々を一方の間仕切り壁１の両面５の上方に位置させる。他の天井野縁３ｂを二本の天井野縁３ａの両側方に所定間隔ｃで複数本並べて配設する。所定間隔ｃを二本の天井野縁３ａの対向側面４間の距離ｂよりも大きくする。間仕切り壁１の上端部に穿設した二つで一組となる通線孔１３ａ、１３ｂの中心間距離ｄを、天井野縁３の平面視における厚み寸法ｅ以上で且つ前記一方の間仕切り壁１の上方に位置する二本の天井野縁３ａの対向側面４間の距離ｂ以下とする。【選択図】        図１
2005307657.tif 000002
【特許請求の範囲】
【請求項１】
間仕切り壁の上端部に該間仕切り壁の内部空間と天井裏とを連通させる二つで一組となった電線挿通用の通線孔を穿設し、該一組の通線孔の夫々を間仕切り壁の平面視における長手方向に間隔を介して配設し、該間仕切り壁を平面視で垂直に隣接させて配置し、該垂直に隣接した両間仕切り壁のうち一方の間仕切り壁の上方に該一方の間仕切り壁に平面視で平行で且つ他方の間仕切り壁に平面視で直交する二本の天井野縁を配設し、該一方の間仕切り壁の上方に位置する二本の天井野縁の対向側面の夫々を前記一方の間仕切り壁の両面の上方に位置させ、該一方の間仕切り壁の上方に位置する二本の天井野縁とは異なる他の天井野縁を前記一方の間仕切り壁の上方に位置する二本の天井野縁の両側方に所定間隔で複数本並べて配設し、該所定間隔を前記一方の間仕切り壁の上方に位置する二本の天井野縁の対向側面間の距離よりも大きくし、前記間仕切り壁に穿設した二つで一組となる通線孔の中心間距離を、天井野縁の平面視における厚み寸法以上で且つ前記一方の間仕切り壁の上方に位置する二本の天井野縁の対向側面間の距離以下としてなることを特徴とする通線孔を有する間仕切り壁の設置構造。
【請求項２】
上記他方の間仕切り壁を端面同士を突き合わせて平面視で一直線上に並べて配設し、上記一方の間仕切り壁の端面を該一方の間仕切り壁の厚み方向における中心が前記他方の間仕切り壁の突き合わせ端面に合うように他方の間仕切り壁の突き合せ端部に突き合わせ、他方の間仕切り壁の上端部において前記一方の間仕切り壁の上方に位置する二本の天井野縁の対向側面とは反対側の側面間の範囲を除いた部分に上記二つで一組となった通線孔を穿設して成ることを特徴とする請求項１記載の通線孔を有する間仕切り壁の設置構造。
【発明の詳細な説明】
【技術分野】
【０００１】
本発明は電線挿通用の通線孔を有する間仕切り壁の設置構造に関する。
【背景技術】
【０００２】
一般に部屋と部屋の間には間仕切り壁が立設される。この種の間仕切り壁としては、上端部に天井裏と間仕切り壁の内部空間とを連通させる通線孔を穿設した間仕切り用壁パネルが知られており、この間仕切り用壁パネルは前記通線孔により天井裏に配された電線を間仕切り壁の内部空間に導入し、この電線を室内に露出させることなく間仕切り壁の内部空間に配設した配線器具に接続できるようにしている（例えば特許文献１）。
【０００３】
上記間仕切り用壁パネルからなる間仕切り壁はその上端部を天井板が吊設又は貼着される天井野縁に取付けて設置されるのだが、このように天井野縁に間仕切り壁を取付けるにあたっては以下に示す間仕切り壁の設置構造が有用であり従来から利用されている。この設置構造では、上記間仕切り壁を所定間隔を介して対向するように平面視で平行に並べて配設した複数枚の第一間仕切り壁と、上記間仕切り壁の端面同士を突き合わせて一直線上に並べて配設されて前記第一間仕切り壁に垂直に隣接する複数枚の第二間仕切り壁と、を備えている。各第一間仕切り壁の上方には平面視で第一間仕切り壁に平行で且つ第二間仕切り壁に直交する二本の天井野縁を配設してあり、同一の第一間仕切り壁の上方に位置する二本の天井野縁の対向側面は第一間仕切り壁の両面の上方に位置している。第一間仕切り壁の上方に位置する二本の天井野縁の両側方には第一間仕切り壁の上方に位置する二本の天井野縁とは異なる他の天井野縁を所定間隔で複数本並べて配設してあり、詳しくは各第一間仕切り壁の上方に位置する二本の天井野縁のうち隣合う第一間仕切り壁の対向面の夫々の上方に位置する天井野縁、又は第一間仕切り壁と平行に配設された建物躯体壁と該建物躯体壁に対向する隣の第一間仕切り壁の対向面の夫々の上方に位置する天井野縁、を基準天井野縁と規定すると、他の天井野縁の平面視の厚み方向の中心が両基準天井野縁の平面視の厚み方向における中心間距離を複数等分した位置と重なるように、他の天井野縁の各々を配設している。
【０００４】
そして上記間仕切り壁の設置構造により、ブロック状の木材を同一の第一間仕切り壁の上方に位置する二本の天井野縁間に位置するように第一間仕切り壁の上面に載設すると共に、該木材を固着具により二本の天井野縁に取付けて、二本の天井野縁に第一間仕切り壁の上端部を取付けられるようにしており、また第二間仕切り壁の上面に木材を載設すると共に、該木材を固着具により各第一間仕切り壁の上方に位置する二本の天井野縁及び他の野縁を取付けて、各第一間仕切り壁の上方に位置する二本の天井野縁及び他の天井野縁に第二間仕切り壁の上端部を取付け固定できるようになっている。
【０００５】
上記間仕切り壁の設置構造において特に有用な点は、第一間仕切り壁の上方に位置する二本の天井野縁の対向側面を第一間仕切り壁の両面の上方に位置させることで、天井野縁に天井板を収まり良く取付けられるようにでき、且つ天井野縁により第一間仕切り壁に穿設した通線孔を塞がないようにできることであり、これに対応して他の天井野縁は前記各第一間仕切り壁の上方に位置する二本の天井野縁を基準として天井の強度を保つために一般に用いられる所定間隔で均等に配設されている。
【０００６】
しかしながら上記間仕切り壁の設置構造では、第二間仕切り壁に穿設した通線孔が第二間仕切り壁に平面視で直交する天井野縁によって完全に塞がれてしまう場合があり、これにより通線孔を設けたにも関わらず天井裏の電線を第二間仕切り壁の内部空間に配設した配線器具に接続できないことがあり、このような場合には従来現場にて第二間仕切り壁の上端部における天井野縁を設けていない箇所に上記通線孔を穿設するといった手間のかかる作業が必要であった。
【０００７】
また設計プランにより上記第二間仕切り壁に対する第一間仕切り壁の設置箇所が異なるため、予め工場にて間仕切り壁の上端部における天井野縁の配設される箇所を除いた部分に上記通線孔を穿設しようとすると、この通線孔の穿設箇所を設計プラン毎に変更しなければならず、間仕切り壁の製造コストが高くなる。
【特許文献１】実開平７−１１２５号公報
【発明の開示】
【発明が解決しようとする課題】
【０００８】
本発明は上記従来の問題点に鑑みて発明したものであって、天井裏の電線を確実に間仕切り壁の内部空間に配設した配線器具に接続することができ、しかも現場にて通線孔を穿設する必要がなくて間仕切り壁の施工が容易になり、また間仕切り壁の製造コストを削減でき、しかも間仕切り壁の構造上の強度を高めることができる間仕切り壁の設置構造を提供することを課題とする。
【課題を解決するための手段】
【０００９】
上記課題を解決するために本発明に係る通線孔を有する間仕切り壁の設置構造は、間仕切り壁１の上端部に該間仕切り壁１の内部空間１２と天井裏とを連通させる二つで一組となった電線挿通用の通線孔１３ａ、１３ｂを穿設し、該一組の通線孔１３ａ、１３ｂの夫々を間仕切り壁１の平面視における長手方向に間隔を介して配設し、該間仕切り壁１を平面視で垂直に隣接させて配置し、該垂直に隣接した両間仕切り壁１のうち一方の間仕切り壁１ａの上方に該一方の間仕切り壁１ａに平面視で平行で且つ他方の間仕切り壁１ｂに平面視で直交する二本の天井野縁３ａを配設し、該一方の間仕切り壁１ａの上方に位置する二本の天井野縁３ａの対向側面４の夫々を前記一方の間仕切り壁１の両面５の上方に位置させ、該一方の間仕切り壁１の上方に位置する二本の天井野縁３ａとは異なる他の天井野縁３ｂを前記一方の間仕切り壁１ａの上方に位置する二本の天井野縁３ａの両側方に所定間隔ｃで複数本並べて配設し、該所定間隔ｃを前記一方の間仕切り壁１ａの上方に位置する二本の天井野縁３ａの対向側面４間の距離ｂよりも大きくし、前記間仕切り壁１に穿設した二つで一組となる通線孔１３ａ、１３ｂの中心間距離ｄを、天井野縁３の平面視における厚み寸法ｅ以上で且つ前記一方の間仕切り壁１の上方に位置する二本の天井野縁３ａの対向側面４間の距離ｂ以下としてなることを特徴とする。
【００１０】
このように所定間隔ｃを一方の間仕切り壁１ａの上方に位置する二本の天井野縁３ａの対向側面４間の距離ｂよりも大きくし、しかも組をなす二つの通線孔１３ａ、１３ｂの中心間距離ｄを、天井野縁３の平面視における厚み寸法ｅ以上で且つ一方の間仕切り壁１の上方に位置する二本の天井野縁３ａの対向側面４間の距離ｂ以下とすることで、他方の間仕切り壁１ｂに穿設した一組の通線孔１３ａ、１３ｂのうち少なくとも一つの通線孔１３ａ（又は１３ｂ）の孔面の半分以上は必ず天井裏に連通することとなり、これにより天井裏の電線１５を確実に通線孔１３ａ、１３ｂに挿通して間仕切り壁１の内部空間１２に導入することができ、従って従来例に示したように現場にて通線孔１３ａ、１３ｂを穿設する必要がなくて間仕切り壁１の施工が容易になり、また設計プラン毎に通線孔１３ａ、１３ｂの穿設箇所を変更する必要がなくなって間仕切り壁１の製造コストを削減できる。また上記一組の通線孔１３ａ、１３ｂを連続させて間仕切り壁１の上端部に間仕切り壁１の平面視における長手方向に長い１つの長孔を形成することによっても上記作用効果を奏することは可能であるが、本発明ではこのように長孔とせずに特に一組の通線孔１３ａ、１３ｂの夫々を間仕切り壁１の平面視における長手方向に間隔を介して配設したことで、間仕切り壁１の構造上の強度を高めている。
【００１１】
また請求項２は請求項１において、上記他方の間仕切り壁１を端面同士を突き合わせて平面視で一直線上に並べて配設し、上記一方の間仕切り壁１の端面を該一方の間仕切り壁１の厚み方向における中心が前記他方の間仕切り壁１の突き合わせ端面２に合うように他方の間仕切り壁１の突き合せ端部に突き合わせ、他方の間仕切り壁１の上端部において前記一方の間仕切り壁１の上方に位置する二本の天井野縁３ａの対向側面４とは反対側の側面１６間の範囲ｈを除いた部分に上記二つで一組となった通線孔１３ａ、１３ｂを穿設して成ることを特徴とする。
【００１２】
上記構成により、他方の間仕切り壁１ｂの上端部に穿設した二つで一組となる通線孔１３ａ、１３ｂの少なくとも一つの通線孔１３ａ（又は１３ｂ）の全ての孔面が天井野縁３ａ、３ｂによって塞がれることがなくなり、また他方の間仕切り壁１ｂの上端部に穿設した二つで一組となる通線孔１３ａ、１３ｂが一方の間仕切り壁１ａの上方に位置する狭い二本の天井野縁３ａ間から天井裏に連通することがなくなり、これにより配線器具１６に接続される電線１５を通線孔１３ａ、１３ｂに容易に挿通させることができる。
【発明の効果】
【００１３】
本発明では間仕切り壁の通線孔が天井野縁により完全に塞がれることがなくなって、天井裏に配された電線を確実に間仕切り壁の内部空間に導入でき、しかも現場にて通線孔を穿設する必要がなくて間仕切り壁の施工が容易になり、また間仕切り壁の構造上の強度を高め、また間仕切り壁の製造コストを削減できる。
【発明を実施するための最良の形態】
【００１４】
以下、本発明を添付図面に示す実施形態に基いて説明する。なお以下の説明では、間仕切り壁１の平面視における長手方向を間仕切り壁１の長手方向と規定し、また天井野縁３ａ、３ｂの平面視における厚み方向を天井野縁３ａ、３ｂの厚み方向と規定して説明する。
【００１５】
図１に本実施形態の間仕切り壁１の設置構造の平面図を示す。本実施形態の設置構造にあっては、図２に示す間仕切り用壁パネルからなる間仕切り壁１を複数枚備えており、各間仕切り壁１は、パネル枠７と、パネル枠７の長手方向に沿う両面に貼着した石膏ボードからなる面材８とからなる。パネル枠７は、一対の左右の縦桟１０ａ、１０ｂと一対の上下の横桟１０ｃ、１０ｄとを矩形枠状に枠組みしてなるパネル枠本体１０と、上下の横桟１０ｃ、１０ｄ間に架設されたパネル枠本体１０を補強する中縦桟１１と、で構成されている。中縦桟１１は上下の横桟１０ｃ、１０ｄの長手方向の中間同士を連結するものであって、該中縦桟１１により矩形枠状のパネル枠本体１０によって囲まれた空所１８は仕切られており、これにより空所１８の横桟１０ｃ、１０ｄの長手方向における両側には間仕切り壁１の内部空間１２を構成する器具配設用空間１２ａ、１２ｂが形成されている。
【００１６】
上記間仕切り壁１の上端部であるパネル枠本体１０の上の横桟１０ｃには予め工場にて二つで一組となった電線挿通用の通線孔１３ａ、１３ｂを中縦桟１１を挟んだ両側に夫々一組づつ計二組設けてあり、組をなす二つの通線孔１３ａ、１３ｂは間仕切り壁１の長手方向に間隔を介して配設されている。各通線孔１３ａ、１３ｂは円形で横桟１０ｃを上下方向に貫通して前記内部空間１２と間仕切り壁１の上方（即ち後述する天井裏）とを連通させている。上記二組の通線孔１３ａ、１３ｂのうち、間仕切り壁１の長手方向の一端側の端部に配設された一組の通線孔１３ａ、１３ｂは前記間仕切り壁１の長手方向の一端側に位置する器具配設用空間１２ａと天井裏とを連通させており、また間仕切り壁１の長手方向の他端側の端部に配設されたもう一組の通線孔１３ａ、１３ｂは前記間仕切り壁１の長手方向の他端側に位置する器具配設用空間１２ｂと天井裏とを連通させている。
【００１７】
上記間仕切り壁１は図１に示すように平面視で垂直に隣接させて配置されており、本実施形態の設置構造ではこの平面視で垂直に隣接する間仕切り壁１のうち、一方の間仕切り壁１である第一間仕切り壁１ａを平面視において所定間隔ａを介して平行に複数枚配設してあり、また他方の間仕切り壁１である第二間仕切り壁１ｂを長手方向の一方の端面同士を突き合わせて一直線上に並べて複数枚配設している。各第一間仕切り壁１ａは長手方向の端面を第二間仕切り壁１ｂの厚み方向の一方の面に突き合わせており、第一間仕切り壁１ａの厚み方向の中心は平面視で第二間仕切り壁１ｂの突き合わせ端面２から第二間仕切り壁１ｂの長手方向において位置をずらした箇所に位置している。なお各第一間仕切り壁１ａの上面と各第二間仕切り壁１ｂの上面とは面一となっているものとする。
【００１８】
上記各第一間仕切り壁１ａの上方には、第一間仕切り壁１ａに平面視で平行で且つ第二間仕切り壁１ｂに平面視で直交する二本の天井野縁３ａを配設してあり、同一の第一間仕切り壁１ａの上方に位置する隣合う二本の天井野縁３ａの対向側面４間の距離ｂは間仕切り壁１の厚み寸法と同じである。即ち同一の第一間仕切り壁１ａの上方に位置する二本の天井野縁３ａの対向側面４の夫々は第一間仕切り壁１ａの厚み方向を向く両面５の上方に位置している。
【００１９】
また第一間仕切り壁１ａの上方に位置する二本の天井野縁３ａの両側方（即ち同一の第一間仕切り壁１ａの上方に位置する二本の天井野縁３ａの対向方向とは反対の方向）には、第一間仕切り壁１ａの上方に位置する二本の天井野縁３ａとは異なる他の天井野縁３ｂを平面視で二本の天井野縁３ａと平行に所定間隔ｃで複数本並べて配設している。ここで所定間隔ｃとは隣合う他の天井野縁３ｂ間の距離、又は天井野縁３ａと該天井野縁３ａの隣の他の天井野縁３ｂ間の距離、である。この所定間隔ｃは天井の強度を保つために一般に用いられる間隔であって、図１に示すように同一の第一間仕切り壁１ａの上方に位置する二本の天井野縁３ａの対向側面４間の距離ｂよりも大きい。具体的には、隣合う第一間仕切り壁１ａの対向面の夫々の上方に位置する天井野縁３ａ、又は第一間仕切り壁１ａと平行な図示しない建物躯体壁と該建物躯体壁に隣合う第一間仕切り壁１ａの対向面の夫々の上方に位置する天井野縁３ａ、を基準天井野縁３ａ１と規定すると、前記所定間隔ｃは、他の天井野縁３ｂの各々の厚み方向の中心位置が前記両基準天井野縁３ａ１の夫々の厚み方向の中心間距離ｊを複数等分（図示例では３等分）した位置に重なる値としており、図示例ではこの所定間隔ｃを、隣合う二本の天井野縁３ａを除いた隣合う天井野縁３ａ、３ｂの厚み方向の中心間距離ｉが約３０３ｍｍとなる値としている。なお上記各第一間仕切り壁１ａの上方に位置する二本の天井野縁３ａ及び他の天井野縁３ｂの厚み寸法ｅは全て同じ値であり、この厚み寸法ｅは従来の一般的な天井野縁３と同様に上記間仕切り壁１の厚み寸法よりも小さいものとする。
【００２０】
各第一間仕切り壁１ａの上方に位置する二本の天井野縁３ａ及び他の天井野縁３ｂの下面には第二間仕切り壁１ｂの上面である上の横桟１０ｃの上面が当接してあり、この状態でボルトのような固着具（図示せず）により天井野縁３ａ、３ｂに第一間仕切り壁１ａ及び第二間仕切り壁１ｂが取付けられている。詳しくは図１に示すように各第一間仕切り壁１ａの上面にブロック状の木材６ａを載設して取付け、該木材６ａの両側面に第一間仕切り壁１ａの上方に位置する二本の天井野縁３ａの対向側面４を当接した状態で、二本の天井野縁３ａの対向側面４とは反対側の側面１６から打ち込んだ固着具にて二本の天井野縁３ａの夫々に木材６ａを固着しており、これにより各第一間仕切り壁１ａは該第一間仕切り壁１ａの上方に位置する二本の天井野縁３ａに固定されており、また各第二間仕切り壁１ａの上面にブロック状の木材６ｂを載設して取付け、該木材６ｂを天井野縁３ａ、３ｂに固着具にて固着することで、各第二間仕切り壁１ａは天井野縁３ａ、３ｂに固定されている。なお上記木材６ａ、６ｂは全ての通線孔１３ａ、１３ｂを塞がない位置に配設されているものとする。
【００２１】
また上記のように並べて配設された天井野縁３ａ、３ｂには吊設されるか又は天井野縁３ａ、３ｂの下面に貼着されるかして図示しない天井板が取付けられており、天井板の上方には例えば二重天井の天井懐のような天井裏が形成されている。
【００２２】
上記間仕切り壁１のうち任意の間仕切り壁１の内部空間１２にはスイッチやコンセント、インターホン親機等の壁埋め込み型の配線器具１４が配設されており、また該配線器具１４には天井裏に配されたＶＶＦケーブルのような動力線や情報線等の電線１５が前述の二つで一組となる通線孔１３ａ、１３ｂを介して間仕切り壁１の内部空間１２に導入され、該電線１５が間仕切り壁１の内部空間１２に配設された配線器具１４に接続されている。具体的には、例えば図２に示すように、間仕切り壁１の器具配設用空間１２ａ、１２ｂの夫々に配線器具１４が配設されており、またこの図２の例にあっては夫々の配線器具１４に接続される天井裏に配された電線１５が通線孔１３ａ、１３ｂを介して接続される配線器具１４を配設した器具配設用空間１２ａ、１２ｂに導入されて、配線器具１４に接続されている。
【００２３】
そして上記間仕切り壁１の設置構造における各間仕切り壁１の上端部に穿設した各組の通線孔１３ａ、１３ｂの夫々の中心間距離ｄは、図１又は図３に示すように天井野縁３の平面視における厚み寸法ｅ以上で且つ同一の第一間仕切り壁１ａの上方に位置する二本の天井野縁３ａの対向側面４間の距離ｂ以下、詳しくは同一の第一間仕切り壁１ａの上方に位置する二本の天井野縁３ａの対向側面４間の距離ｂと同じとしている。また上記通線孔１３ａ、１３ｂの直径は該通線孔１３ａ、１３ｂの孔面の半分にて後述する電線１５を挿通できるような値であり、具体的に図示例の通線孔１３ａ、１３ｂの直径は天井野縁３の厚み寸法ｅと略同じ値としている。
【００２４】
このように二つで一組となる通線孔１３ａ、１３ｂの平面視における中心間距離ｄは同一の第一間仕切り壁１ａの上方に位置する二本の天井野縁３ａの対向側面４間の距離ｂと同じ或いはそれより小さくし、且つ前記所定間隔ｃは第一間仕切り壁１ａの上方に位置する二本の天井野縁３ａの対向側面４間の距離ｂよりも大きくすることで、第二間仕切り壁１ｂに穿設した一組の通線孔１３ａ、１３ｂのうち少なくとも一つの通線孔８ａ（又は８ｂ）の孔面の半分以上は天井野縁３ａ、３ｂによって塞がれずに必ず天井裏に連通することとなり、換言すると本実施形態にあっては二つで一組となる通線孔１３ａ、１３ｂにおいて天井野縁３ａ、３ｂによって塞がれない孔面の合計の面積が、少なくとも一つの通線孔１３ａの孔面分の面積以上となる。従って天井裏に配された電線１５を前記天井野縁３ａ、３ｂによって塞がれていない通線孔８ａ（又は８ｂ）を介して確実に第二間仕切り壁１ｂの内部空間１２に導入でき、これにより従来例に示したように現場にて通線孔１３ａ、１３ｂを穿設する必要がなくて間仕切り壁１の施工が容易になり、また設計プラン毎に通線孔１３ａ、１３ｂの穿設箇所を変更する必要がなくなって間仕切り壁１の製造コストを削減できる。また上記一組の通線孔１３ａ、１３ｂを連続させて、間仕切り壁１の上端部に間仕切り壁１の長手方向に長い一つの長孔を形成することによっても上記作用効果を奏することは可能であるが、本実施形態ではこのように長孔とせずに特に一組の通線孔１３ａ、１３ｂの夫々を間仕切り壁１の長手方向に間隔を介して配設したことで、間仕切り壁１の構造上の強度を高めている。なお、上記間仕切り壁１の両面に貼着した面材８のうち一方は配線器具１４及び電線１５の施工の後に貼着されるものとする。
【００２５】
次に先の実施形態とは異なる実施形態を以下に示す。なお先の実施形態と同一の構成については同一の番号を付与してあり、重複する説明については説明を省略する。
【００２６】
図４に示すように本実施形態では第一間仕切り壁１ａの端面を第一間仕切り壁１ａの厚み方向における中心が第二間仕切り壁１ｂの突き合わせ端面２に合うように第二間仕切り壁１ｂの突き合せ端部に突き合わせてあり、しかも第二間仕切り壁１ｂの上端部に穿設した全ての通線孔１３ａ、１３ｂは、第二間仕切り壁１ｂの横桟１０ｃにおいて同一の第一間仕切り壁１の上方に位置する二本の天井野縁３ａの対向側面４とは反対側の側面１６間の範囲ｈを除いた箇所に穿設している。
【００２７】
具体的には図４及び図５に示すように、各間仕切り壁１の長手方向の一端側の端部に設けた一組の通線孔１３ａ、１３ｂのうち間仕切り壁１の長手方向の一端側に位置する通線孔１３ａの中心から間仕切り壁１の長手方向の前記一端側の端面までの間仕切り壁１の長手方向における距離ｇを、第一間仕切り壁１ａの上方に位置する二本の天井野縁３ａの対向側面４間の距離ｂの半分（ｂ／２）と、天井野縁３ａ、３ｂの厚み寸法ｅと、通線孔１３ａ、１３ｂの半径ｆとを加えた値としている。即ちｇ＝ｂ／２＋ｅ＋ｆである。また同様に、該間仕切り壁１の長手方向の他端側の端部に設けたもう一組の通線孔１３ａ、１３ｂのうち間仕切り壁１の長手方向の他端側に位置する通線孔１３ｂの中心から間仕切り壁１の長手方向における前記他端側の端面までの間仕切り壁１の長手方向における距離ｇも、第一間仕切り壁１ａの上方に位置する二本の天井野縁３ａの対向側面４間の距離ｂの半分（ｂ／２）と、天井野縁３の平面視における厚み寸法ｅと、通線孔１３ａ（又は１３ｂ）の半径ｆとを加えた値としている。ここで上記二つで一組となる通線孔１３ａ、１３ｂの中心間距離ｄに通線孔１３ａ、１３ｂの直径（２×ｆ）を加えた値は、前述の所定間隔ｃよりも小さい値となっているものとする。
【００２８】
上記のように第二間仕切り壁１ｂの上端部に穿設した全ての通線孔１３ａ、１３ｂは、第二間仕切り壁１ｂの横桟１０ｃにおいて同一の第一間仕切り壁１の上方に位置する二本の天井野縁３ａの対向側面４とは反対側の側面１６間の範囲ｈを除いた箇所に穿設することで、第二間仕切り壁１ｂの上端部に穿設した二つで一組となる通線孔１３ａ、１３ｂが同一の第一間仕切り壁１ａの上方に位置する狭い二本の天井野縁３ａ間から天井裏に連通することがなくなり、且つ第二間仕切り壁１ｂに穿設した全ての通線孔１３ａ、１３ｂの孔面全てが天井野縁３ａ、３ｂによって塞がれることがなくなって、第二間仕切り壁１ｂの上端部に穿設した全ての通線孔１３ａ、１３ｂの孔面全てを天井裏に連通させることができ、上記により電線１５を通線孔１３ａ、１３ｂに容易に挿通させることができる。また間仕切り壁１として平面視における長手方向の寸法を異ならせた多種の間仕切り壁１を製造する場合、通線孔１３ａ、１３ｂを間仕切り壁１の端面を基準とした同じ位置に穿設して間仕切り壁１を標準化でき、間仕切り壁１の製造コストを一層削減できるといった効果も有している。
【００２９】
なお図１に示す先の実施形態の間仕切り壁１の通線孔１３ａ、１３ｂを本実施形態の間仕切り壁１の通線孔１３ａ、１３ｂと同じ位置に穿設しても良いものとする。
【図面の簡単な説明】
【００３０】
【図１】本発明の実施の形態の一例を示し、図は平面図である。
【図２】同上の第一間仕切り壁の一方の面材の図示を省略した正面図である。
【図３】同上の設置構造に用いられる第二間仕切り壁の上端部の要部拡大斜視図である。
【図４】異なる実施の形態の一例を示し、図は平面図である。
【図５】同上の設置構造に用いられる第二間仕切り壁の上端部の要部拡大斜視図である。
【符号の説明】
【００３１】
ｃ  所定間隔
ｄ  中心間距離
ｅ  厚み寸法
１  間仕切り壁
１ａ  一方の間仕切り壁
１ｂ  他方の間仕切り壁
３ａ  二本の天井野縁
３ｂ  他の天井野縁
４  対向側面
５  両面
１２  内部空間
１３ａ  通線孔
１３ｂ  通線孔
【図１】
2005307657.tif 000003
【図２】
2005307657.tif 000004
【図３】
2005307657.tif 000005
【図４】
2005307657.tif 000006
【図５】
2005307657.tif 000007